(57)【要約】【課題】棒状物品が例えばそうめんの如き細いものであっても、搬送並びに、前端部の整合を確実に行なう。【解決手段】第１コンベヤ１４に物品搬送方向に所定間隔で配設した保持部材２４の収容凹部に、物品群１２が底側および両側を支持された状態で保持される。第２コンベヤ１６に走行方向に離間して配設した整合部材４０は、第１コンベヤ１４による物品搬送開始端から搬送終端までに亘り保持部材２４の前後に位置決めされて移動する。整合部材４０は、収容凹部の収容領域以上の広い範囲を覆い得るサイズに設定される。そして、停滞状態となった前方の整合部材４０に対して保持部材２４と後方の整合部材４０が前進移動を継続することで、物品群中において搬送方向の前方にずれている棒状物品の前端部が停滞状態の整合部材４０の後面に当接して整合される。【選択図】図２
2005112618.tif 000002
【特許請求の範囲】
【請求項１】
棒状物品を所定量単位で纏めた物品群(12)を搬送すると共に、その搬送終端部までに至る間に該物品群(12)の前端部を整合する棒状物品の搬送装置において、
前記物品群(12)を、その底側および両側を支持可能な収容凹部(28)に保持して所定間隔毎に搬送する保持部材(24)と、
前記保持部材(24)による物品搬送途上において、前記収容凹部(28)に保持された物品群(12)の搬送方向の前方と後方とに臨み、該物品群(12)の前後端面以上の範囲を覆い得る整合部材(40)とを有し、
前記保持部材(24)と後方の整合部材(40)との前進移動により、前記物品群(12)の前端部を前方の整合部材(40)に当接して該前端部を整合した後に、前方の整合部材(40)を物品前端側から搬送路外に移動させると共に、後方の整合部材(40)によって整合状態の物品群(12)を押送するよう構成した
ことを特徴とする棒状物品の搬送装置。
【請求項２】
前記保持部材(24)は、物品搬送方向に沿って走行可能な無端索体(22,22)に所定間隔毎に配設されると共に、該保持部材(24)は、物品群(12)の底側および両側を保持可能な支持片(26,44,46,50,52)を物品搬送方向に沿って複数並設して構成されている請求項１記載の棒状物品の搬送装置。
【請求項３】
前記物品群(12)の搬送路上方に配設された無端索体(32)に複数のアタッチメント(36)が所定間隔毎に取着され、各アタッチメント(36)に回動可能に配設された搬送体(38)に前記整合部材(40)が配設され、アタッチメント(36)が直進状態から曲進を開始したときに整合部材(40)を一時的に停滞状態として、該整合部材(40)の後面に後続の物品群(12)の前端部を当接させるよう構成した請求項１または２記載の棒状物品の搬送装置。
【請求項４】
物品搬送方向に離間して平行に走行する一対の無端索体(22,22)の間隔を調節し得る間隔調節機構(48)を備え、前記物品群(12)の底側を支持する部分(44a,50a,52a)および一側を支持する部分(44b,50b,52b)を有する前記支持片(44,46,50,52)が、前記一対の無端索体(22,22)に対してその走行方向に交互に配設され、その配設状態において支持片(44,46,50,52)は、前記底側を支持する部分(44a,50a,52a)が前記走行方向において互いに重合すると共に、一側を支持する部分(44b,50b,52b)が前記走行方向において物品群(12)の一方の側と他方の側とに交互に位置するよう設定される請求項２記載の棒状物品の搬送装置。
【発明の詳細な説明】
【技術分野】
【０００１】
本発明は、例えばそうめん、冷麦等の乾麺や棒状菓子類などの棒状物品を所定量単位で纏めた物品群を、その前端部を整合して包装装置等の処理機に向けて搬送する棒状物品の搬送装置に関するものである。
【背景技術】
【０００２】
棒状チョコレートや棒状ビスケットなどの棒状物品類を搬送する搬送装置として、例えば特許文献１に開示の装置が存在する。この装置は、循回する搬送用のチェンに所定間隔毎に配設した搬送アタッチメントの搬送片に、底面と両側面とからなる物品ガイドによって樋状に形成された搬送路内を移動する押送板が配設され、該搬送路内に堆積された物品群を該押送板により搬出部に向けて押送するよう構成されている。そして、搬出部付近において物品群を押送している押送板と先行している押送板との移動量の差によって、各棒状物品の前端部を先行側押送板の後面に当接させることで、該物品群の前端部のズレを修正して整合状態とする方式が採用されている。
【特許文献１】特公昭６１−３７２６号公報
【発明の開示】
【発明が解決しようとする課題】
【０００３】
前記搬送装置において、搬送路内の物品群を押送する押送板と該搬送路との間には隙間があり、棒状物品が例えばそうめん等の細い径のものである場合には、前述した前端整合時において、押送している押送板または先行側押送板と搬送路との隙間から棒状物品がすり抜けてしまい、確実な押送または良好な整合を行なうことができないといった問題があった。
【０００４】
すなわちこの発明は、従来の技術に係る搬送装置に内在している前記課題に鑑み、これを好適に解決するべく提案されたものであって、棒状物品が例えばそうめんの如き細いものであっても、搬送並びに、前端部の整合を確実に行ない得る棒状物品の搬送装置を提供することを目的とする。
【課題を解決するための手段】
【０００５】
前記課題を克服し、所期の目的を達成するため、本発明に係る棒状物品の搬送装置は、
棒状物品を所定量単位で纏めた物品群を搬送すると共に、その搬送終端部までに至る間に該物品群の前端部を整合する棒状物品の搬送装置において、
前記物品群を、その底側および両側を支持可能な収容凹部に保持して所定間隔毎に搬送する保持部材と、
前記保持部材による物品搬送途上において、前記収容凹部に保持された物品群の搬送方向の前方と後方とに臨み、該物品群の前後端面以上の範囲を覆い得る整合部材とを有し、
前記保持部材と後方の整合部材との前進移動により、前記物品群の前端部を前方の整合部材に当接して該前端部を整合した後に、前方の整合部材を物品前端側から搬送路外に移動させると共に、後方の整合部材によって整合状態の物品群を押送するよう構成したことを特徴とする。
【発明の効果】
【０００６】
本願の請求項１に係る発明の棒状物品の搬送装置によれば、所定量単位の物品群の底側および両側を保持する保持部材を移動式とすると共に、物品群の前後に位置する各整合部材を、物品群の前後端面以上の範囲を覆い得る大きさに設定したから、棒状物品が例えばそうめんの如き細いものであっても、物品押送または物品整合時における搬送不良、整合不良を防止できる。
【０００７】
請求項２の搬送装置によれば、複数の支持片からなる保持部材を無端索体に所定間隔毎に配設したから、下流側に配設される包装装置等の処理機に向けて物品群を受渡す際に、その搬送姿勢が乱れることなく良好に搬送することができる。また請求項３の搬送装置では、無端索体に配設したアタッチメントが直進状態から曲進を開始したときに、該アタッチメントに回動可能に配設した搬送体が備える整合部材を一時的に停滞状態として後続の物品群の前端部を整合するよう構成したから、無端索体自体を一時停止することなく物品整合を行なうことができる。更に、請求項４の搬送装置によれば、支持片が交互に配設される一対の無端索体の間隔を調節することで、保持部材における収容凹部の収容量を可変し得るよう構成したので、棒状物品のサイズや搬送量の変更に簡単に対応し得る。
【発明を実施するための最良の形態】
【０００８】
次に、本発明に係る棒状物品の搬送装置につき、好適な実施例を挙げて、添付図面を参照して以下に説明する。なお、実施例としては、搬送装置を横型製袋充填機における物品供給コンベヤに適用した場合について説明する。
【実施例１】
【０００９】
図１は、棒状物品の搬送装置としての物品供給コンベヤの全体構成を示すものであって、該物品供給コンベヤ１０は、棒状物品を所定量単位で纏めた物品群１２を所定間隔毎に搬送する第１コンベヤ１４と、該第１コンベヤ１４の上方に配設された第２コンベヤ１６とから基本的に構成される。この物品供給コンベヤ１０の下流側には、例えば周知の横型製袋充填機(包装機)が配置され、該横型製袋充填機におけるフィルム供給源から引き出された帯状フィルム１８が製袋手段２０によって成形された筒状フィルム中に、前記物品群１２を所定間隔毎に供給するよう構成されている。
【００１０】
前記第１コンベヤ１４は、物品搬送中心を挟む両側に、物品搬送方向と平行に循環走行する一対の第１無端チェン(無端索体)２２,２２を並列に備え、両無端チェン２２,２２の表面側(搬送面側)には、物品群１２を保持して搬送する複数の保持部材２４が走行方向に所定間隔毎に配設されている。該各保持部材２４は、一対の第１無端チェン２２,２２間に跨って架設された支持片２６を、図２に示すように、第１無端チェン２２,２２の各チェンリンク毎に個々に配設して走行方向に複数個並設することで構成される。各支持片２６は、図３に示す如く、第１無端チェン２２,２２のキャリア側(上側の水平直進部)において上方に開放する略コ字状を呈した棒状部材からなり、複数の支持片２６によって画成された保持部材２４における収容凹部２８に、後述する計量供給機３０から所定量単位の棒状物品が、その長手方向が物品搬送方向に沿う姿勢で供給されるようになっている。そして、収容凹部２８に収容された物品群１２は、その底側および物品搬送方向と交差する幅方向の両側が該収容凹部２８で支持された状態で、各保持部材２４が第１無端チェン２２,２２の走行により搬送終端部に向けて移動することで、物品群１２が前記製袋手段２０に向けて所定間隔毎に搬送される。
【００１１】
前記各保持部材２４における物品搬送方向の長さは、棒状物品の長さ以下に設定されている。また各支持片２６は、第１無端チェン２２,２２の各チェンリンクに対し夫々着脱交換可能に配設され、該支持片２６を高さや幅が異なるサイズのものに交換して前記収容凹部２８の内容積(収容量)を変更することで、棒状物品のサイズや搬送量等の変更に対応できるよう構成されている。
【００１２】
前記第１コンベヤ１４における物品搬送路の所定箇所には、前記保持部材２４の収容凹部２８に、所定量単位で棒状物品を供給する物品供給手段としての計量供給機３０が配設されている。なお、実施例では計量供給機３０が物品搬送方向に離間して２箇所に設置されている。
【００１３】
前記第２コンベヤ１６は、図１に示す如く、上方に向けた略四角形状に循環走行する第２無端チェン(無端索体)３２が、前記第１コンベヤ１４における上流側の物品供給位置より上流側から物品搬送終端までの間に下側の水平直進部が延在するよう配置されると共に、該無端チェン３２には、その走行方向に所定間隔で複数の規制手段３４が配設されている。各規制手段３４は、図２に示す如く、前記第２無端チェン３２に配設されたアタッチメント３６と、該アタッチメント３６に回動可能に枢支された搬送体３８と、該搬送体３８に配設されて第１コンベヤ１４の物品搬送路側に延出し、前記保持部材２４の収容凹部２８に保持されている物品群１２における前端部の整合および該物品群１２の押送を行なう整合部材４０とから構成される。各規制手段３４に配設されている各整合部材４０の配設間隔は、第１コンベヤ１４に配設された各保持部材２４の配設間隔と同一に設定されると共に、第１コンベヤ１４による物品搬送開始端から搬送終端までに亘り該保持部材２４の前後に位置決めされて、第１コンベヤ１４の搬送速度と同一速度で整合部材４０が物品搬送方向に沿って走行するよう構成される。
【００１４】
図２に示す如く、前記搬送体３８には、アタッチメント３６に対する枢支位置よりチェン走行方向の後側に、該走行方向に沿って所定長さで延在する長孔部３８ａが形成され、この長孔部３８ａに、第２無端チェン３２のチェンリンクに配設されたローラ４２が転動可能に嵌挿されている。そして、第２無端チェン３２における下側の水平直進部では、ローラ４２が長孔部３８ａの後端部側に位置した状態でアタッチメント３６および搬送体３８が移動することで、該搬送体３８の揺動が規制されて整合部材４０は垂直状に保持される。これに対し、前記第１コンベヤ１４における物品搬送終端部に位置する第２無端チェン３２の上方への曲進部では、アタッチメント３６が曲進を開始してからローラ４２が曲進を開始するまでの間は、ローラ４２が長孔部３８ａ内を直進して搬送体３８と整合部材４０とが曲進に先立って一時的に停滞されるよう構成される。これにより、一時的に停滞している先行側の整合部材４０の後面に、後続する保持部材２４により搬送される物品群１２の前端部が当接することで、該前端部が整合されるようになっている。また、当該保持部材２４に後続する整合部材４０と停滞状態の先行側の整合部材４０との間隔が縮小して、後続の整合部材４０が保持部材２４に保持されている物品群１２の後端部に当接することで、該後端部が整合されるよう構成される。なお、ローラ４２が曲進を開始することで、前記搬送体３８および整合部材４０も曲進を開始し、これにより整合部材４０が物品搬送路外に移動して物品群１２の下流側への移動を許容するよう構成される。
【００１５】
前記整合部材４０の前面および後面は、前記保持部材２４における収容凹部２８に収容保持された物品群１２の前後端面以上の広い範囲を覆い得るよう構成されている。これにより、該整合部材４０により物品群１２の前端部を整合する際、および物品群１２を搬送終端部から下流側に接続される前記横型製袋充填機に向けて押送する際に、保持部材２４の収容凹部２８に収容保持された棒状物品が該整合部材４０をすり抜けて移動することがない。
【００１６】
〔実施例１の作用〕
次に、実施例１に係る物品供給コンベヤの作用について説明する。前記計量供給機３０から所定量単位の棒状物品が該保持部材２４に供給され、この物品群１２は並列状態で前記収容凹部２８に堆積して、その底側および幅方向の両側が支持された状態となる。なお、棒状物品が計量供給機３０から供給される際には、各保持部材２４における物品搬送方向の前方および後方に、前記第２コンベヤ１６の整合部材４０が既に夫々臨んでおり、棒状物品は前後の整合部材４０,４０の間に確実に位置する。すなわち、保持部材２４への物品群１２の供給後に、整合部材４０,４０が該保持部材２４の前後位置に進入する構成では、保持部材２４の前後に棒状物品が大きく突出していると整合部材４０の進入時に棒状物品を折損してしまうことがあるが、このような問題は発生しない。
【００１７】
前記第１コンベヤ１４における一対の第１無端チェン２２,２２の走行により保持部材２４が移動することで、前記収容凹部２８に収容された物品群１２は、その底側および幅方向の両側が支持された状態で物品搬送終端に向けて搬送される。また、前記第２コンベヤ１６の第２無端チェン３２の走行により前記保持部材２４の前後に位置する整合部材４０,４０は、該保持部材２４と同速度で間隔を保った状態で物品搬送終端に向けて移動する。物品群１２は、保持部材２４に保持された状態で搬送されるから、物品群１２がテーブルやベッド等の固定部材に対して擦れて傷付くことはない。
【００１８】
前記第１コンベヤ１４における第１無端チェン２２,２２の走行により移動する保持部材２４が搬送終端部付近に達すると、該保持部材２４と同速度で移動する前記第２コンベヤ１６における先行側の規制手段３４のアタッチメント３６が曲進を開始することで、前記整合部材４０は垂直状のまま停滞状態となる。これに対し、保持部材２４およびこれに後続する整合部材４０は前進移動を継続し、物品群中において搬送方向の前方にずれている棒状物品の前端部が停滞状態の先行側整合部材４０の後面に当接することで整合される。また先行側の整合部材４０と後行側の整合部材４０との間隔が縮小することで、後行側の整合部材４０が保持部材２４に保持されている物品群中において搬送方向の後方にずれている棒状物品の後端部に当接してこれを押送し、これにより物品群１２の前後端部は共に整合される。すなわち、第２コンベヤ１６を停止することなく整合部材４０を一時的に停滞状態として物品群１２の前端部整合を行ない得るから、先行する整合部材４０を別駆動機構で移動するよう構成し、該別駆動機構によって先行側整合部材４０を一時停止するか、あるいは後続の整合部材４０より減速することで整合させる等の必要がなく、該コンベヤ１６の運転制御を簡略化することができる。
【００１９】
前記先行側の規制手段３４のアタッチメント３６が更に移動することで、停滞状態の先行側整合部材４０が上方に向けて曲進を開始して物品搬送路外に移動し、整合状態となった物品群１２は後続する整合部材４０の前面で引き続き押送され、下流側に接続された前記製袋手段２０によって筒状成形されたフィルム中に供給され、該物品群１２は整合状態で製袋充填包装される。なお、物品群１２を押送する整合部材４０は、後続する次の保持部材２４の収容凹部２８に保持されている物品群１２の前端部の整合を行なう先行側の整合部材となる。前述したように前記物品群１２の前後に位置する各整合部材４０は、前記保持部材２４の収容凹部２８における収容領域以上の広い範囲を覆い得るサイズに設定されているので、物品群１２の前後端部が前後の整合部材４０,４０によって整合される際、および物品群１２が搬送終端部から下流側に接続される前記横型製袋充填機に向けて押送される際に、各棒状物品が各整合部材４０をすり抜けて移動してしまうことがなく、確実な整合および押送を達成し得る。すなわち、例えばそうめんの如き細い棒状物品であっても、物品群１２における前後両端部の整合および押送を確実に行ない得る。また規定の前後長に整合された物品群１２は、筒状フィルムを交差する方向に横シール・切断する際にシール手段に噛み込まれること無く、良好な包装が達成される。
【００２０】
なお、本実施例の如く、横型製袋充填機に本発明を適用する際には、各棒状物品の前後端部を一致させた整合状態とする必要はなく、筒状フィルム中に送り込まれた物品群１２の前後で横シール・切断するのに支障のない範囲で、前後端部を略整合状態にし得るように設定されていればよい。
【００２１】
前記保持部材２４を構成する支持片２６は、一対の第１無端チェン２２,２２に架設される構成に限らず、一本の無端チェン等からなる無端索体に配設されるものであってもよい。また支持片２６に関しては、前述した形状に限定されるものでなく、横断面略Ｕ型状やＶ型状であってもよく、これら複数の支持片により画成される収容凹部２８で物品群１２の底側および両側を支持し得る各種形状を採用し得る。更に支持片２６は、棒状部材の他に、板状部材やブロック状部材の金属、樹脂等からなる材質のものが適用できる。
【実施例２】
【００２２】
次に、実施例２に係る物品供給コンベヤ(棒状物品の搬送装置)について説明するが、その基本的な構成は前述した実施例１で説明したものと同一であるので、異なる部分についてのみ説明する。
【００２３】
図５に示す如く、前記第１コンベヤ１４を構成する一対の第１無端チェン２２,２２は、物品搬送中心に対して近接離間移動可能に構成され、軸方向に離間して夫々逆ネジが螺刻された調節用ネジや調節ハンドル等からなる間隔調節機構４８により、一対の第１無端チェン２２,２２の間隔を調節し得るようになっている。また、前記各保持部材２４を構成する複数の支持片５０は、一対の第１無端チェン２２,２２に対してその走行方向に交互に位置するよう配設され、これら複数の支持片５０によって収容凹部２８が画成される。各支持片５０は、平板部材をＬ字状に折曲して物品群１２の底面を支持する部分としての底部受片５０ａと物品群１２の一側面を支持する部分としての側部受片５０ｂとを有し、その底部受片５０ａが一方または他方の第１無端チェン２２に配設された状態で、その先端部が他方または一方の第１無端チェン２２側に向けて延在するよう構成される。すなわち、第１無端チェン２２,２２に対する配設状態において支持片５０は、底部受片５０ａがチェン走行方向において互いに重合すると共に、その側部受片５０ｂがチェン走行方向において物品群１２の一方の側面を支持する位置と他方の側面を支持する位置とに交互に位置するよう設定される。
【００２４】
なお、一方の第１無端チェン２２に配設される支持片群および他方の第１無端チェン２２に配設される支持片群の各底部受片５０ａ,５０ａは櫛歯状に交互に位置してチェン走行方向に重合しているから、一対の第１無端チェン２２,２２の離間間隔を調節することで前記収容凹部２８の幅寸法を変更した際においても、収容凹部２８に収容される物品群１２の底面を支持することができるようになっている。また底部受片５０ａの延在長は、最も収容量が大となる物品群１２に対して一対の第１無端チェン２２,２２を最大限移動調節した際にも、他方の支持片５０の側部受片５０ｂの配設位置と交わる位置まで延在するようになっていることが最も好ましい。
【００２５】
また前記各支持片５０の側部受片５０ｂは、その高さが前記収容凹部２８に収容される物品群１２の側面を支持し得るのに充分な寸法に設定されると共に、底部受片５０ａの略２倍の長さ寸法に設定され、物品搬送方向の前側または後側に延出し、これにより保持部材２４の略全長に亘って物品群１２の側面を側部受片５０ｂ,５０ｂで支持し得るよう構成される。すなわち、第１無端チェン２２,２２に交互に配設されて前後に隣り合う支持片５０,５０が対をなし、両支持片５０,５０の側部受片５０ｂ,５０ｂが互いの底部受片５０ａ,５０ａの延在側に向けて相互に反対方向に延出することで、保持部材２４の側部に大きな隙間を生じないようにしてある(図４参照)。なお、対をなす各側部受片５０ｂ,５０ｂにおける上端形状(延出端部の形状)は、第１無端チェン２２,２２に対する底部受片５０ａ,５０ａの配設位置が走行方向にずれているのに対応して異ならせることで、両支持片５０,５０が前記製袋手段２０との隙間を下方に向けてリターンするときの上端の移動軌跡が同一となるように設定している。また実施例２の各保持部材２４では、その先頭に、底部受片５２ａと側部受片５２ｂとの長さが同一に設定された別の支持片５２が一方または他方の第１無端チェン２２に配設されている。なお、別の支持片５２における側部受片５２ｂの最上端の位置(最大延出端位置)は、前記支持片５０における側部受片５０ｂの最上端の位置と同一に設定してある。この別の支持片５２は、搬送対象となる棒状物品の長さに対して保持部材２４の保持長さを調節するために設けられたものであって、棒状物品の長さによっては全て同一形状の前記支持片５０を設けることが好ましい。
【００２６】
また、前記第２コンベヤ１６に配設される各整合部材４０における前面および後面のサイズは、幅寸法が可変される収容凹部２８が最大幅寸法に調節された状態において、その収容領域より大きな範囲を覆い得るサイズに設定され、物品群１２の前後端部が前後の整合部材４０,４０によって整合される際および物品群１２が押送される際に、各棒状物品が各整合部材４０をすり抜けて移動することがないよう構成される。
【００２７】
すなわち、実施例２の物品供給コンベヤ１０においても、前述した実施例１と同様の作用効果を奏すると共に、棒状物品のサイズや搬送量が変更された際には、一対の第１無端チェン２２,２２の間隔を調節するだけで簡単に対応し得る。
【００２８】
なお、実施例２の支持片５０,５２では平板部材を折曲することで底部受片５０ａ,５２ａと側部受片５０ｂ,５２ｂとを形成するようにしたが、棒状部材をＬ型状に折曲することで底部受片と側部受片とを形成するようにしたものであってもよい。また、図６に示す如く、物品群１２の底面を支持する底部受片(部分)４４ａと物品群１２の一側面を支持する側部受片(部分)４４ｂとが湾曲部分で連結された形状に形成した棒状部材または平板部材からなる各支持片４４の底部受片４４ａを、搬送方向に相互に位置するよう一方または他方の第１無端チェン２２に配設し、搬送方向から見て収容凹部２８がＵ字状を呈するようにしてもよい。図６に示す支持片４４においては、側部受片４４ｂが臨む側とは反対側の第１無端チェン２２に底部受片４４ａが配設されており、これら複数の支持片４４からなる保持部材２４では、一対の第１無端チェン２２,２２を相互に近接することで収容凹部２８の容量が大きくなり、逆に離間することで小さくなる。更に、図７に示す如く、一方または他方の第１無端チェン２２から他方または一方の第１無端チェン２２に向かうにつれて下方傾斜する棒状部材または平板部材からなる支持片４６を、搬送方向に相互に位置するよう配設することで、搬送方向から見て収容凹部２８がＶ字状を呈するようにしたものであってもよい。なお、図７に示す支持片４６においては、両支持片４６,４６が交わる部分が物品群１２の底面を支持する部分となり、該部分から上方に離間する部分が物品群１２の一側を支持する部分となる。
【００２９】
前述した実施例１,２において、前記整合部材４０は搬送体３８に着脱交換可能に配設されており、棒状物品の長さの異なる品種を整合する際には、整合部材４０の前後長さの異なるものに交換することで対応できる。
【００３０】
〔変更例〕
本願は、前述した実施例の構成に限定されるものでなく、その他の構成を適宜に採用することができる。
１．整合部材４０を備える第２コンベヤ１６は、第１コンベヤ１４における物品搬送路上方において、垂直面に沿って第２無端チェン３２を走行させるようにしたが、搬送路上方で水平面に沿って第２無端チェン３２を走行させる構成、または第１コンベヤ１４と同様に搬送路下方に設置したり、あるいは搬送路下方で水平面に沿って走行させる構成等、整合部材４０が第１コンベヤ１４の保持部材２４における前後に臨み得るものであればよい。
２．整合部材４０による物品群１２の前後端部の整合は、物品群１２の搬送終端部付近で行なうことが最も好ましいが、これに限らず、物品群１２の搬送開始端から搬送終端に至るまでの間の物品群１２の搬送途上における搬送上流部や中流部等、何れかの区間内で物品群１２を整合するように設定されていればよい。
３．保持部材２４は、第１無端チェン２２,２２に所定間隔毎に配設されるものとしたが、保持部材２４によって物品群１２を保持して所定間隔毎に前進させることが可能な、その他の各種構成の搬送手段を採用することができる。また保持部材２４は、複数の支持片２６,４４,４６,５０,５２から構成されるものに限らず、１枚の板状部材を折曲して前記の各種形状からなる収容凹部２８を形成したものや、あるいは複数または単一のブロック状部材に各種形状からなる収容凹部２８を形成したものを採用することも可能である。
４．保持部材２４の収容凹部２８に収容保持される物品群１２の前後端部を整合する機構に関しては、実施例に示した方式に限らず、保持部材２４と後方の整合部材４０とに対して、前方の整合部材４０の速度を遅速して物品群１２の端部整合を行なった後に高速となるよう変速したり、あるいは遅速と高速との間に等速の期間を設けるようにしてもよい。また、前方の整合部材４０を所定位置に配設し、物品群１２の通過タイミングに合わせて前端部を整合できる位置まで移動して整合した後に搬送路外に待避する構成を採用し得る。なお、後方の整合部材４０は保持部材２４と一体的に前進するよう該保持部材２４に配設するようにしてもよく、少なくとも後方の整合部材４０が保持部材２４と同調して移動するものであれば、これら各種構成に代えて他の構成を採用し得る。
５．搬送装置に接続される装置としては、横型製袋充填機に限らず、所定間隔で物品群１２を受け入れる包装機やコンベヤ、あるいはその他の各種の処理機であってもよい。
【図面の簡単な説明】
【００３１】
【図１】本発明の好適な実施例１に係る物品供給コンベヤの全体を示す概略構成図である。
【図２】実施例１に係る物品供給コンベヤの要部を示す概略正面図である。
【図３】実施例１に係る物品供給コンベヤの要部を示す概略側面図である。
【図４】実施例２に係る物品供給コンベヤの要部を示す概略正面図である。
【図５】実施例２に係る物品供給コンベヤの要部を示す概略側面図である。
【図６】実施例２に係る支持片の変形例を示す概略側面図である。
【図７】実施例２に係る支持片の別の変形例を示す概略側面図である。
【符号の説明】
【００３２】
１２ 物品群，２２ 第１無端チェン(無端索体)，２４ 保持部材，２６ 支持片
２８ 収容凹部，３２ 第２無端チェン(無端索体)，３６ アタッチメント
３８ 搬送体，４０ 整合部材，４４ 支持片，４４ａ 底部受片(部分)
４４ｂ 側部受片(部分)，４６ 支持片，５０ 支持片，５０ａ 底部受片(部分)
５０ｂ 側部受片(部分)，５２ 別の支持片，５２ａ 底部受片(部分)
５２ｂ 側部受片(部分)
【図１】
2005112618.tif 000003
【図２】
2005112618.tif 000004
【図３】
2005112618.tif 000005
【図４】
2005112618.tif 000006
【図５】
2005112618.tif 000007
【図６】
2005112618.tif 000008
【図７】
2005112618.tif 000009